(57)【要約】      （修正有）【課題】顧客が統合マイレージカード一枚で提携マイレージ提供社のマイレージを統合的に積立て又は使用できるようにする。【解決手段】統合マイレージサービス提供システム及び方法に関する。顧客の商品購買決済の際に多数のメンバーシップカードを一つに統合した統合マイレージカードの番号、決済金額及び加盟店の識別情報を含むマイレージの積立て又は使用要請データが入力される加盟店ＰＯＳ端末機と、マイレージデータベースに貯蔵された顧客マイレージ情報を基に上記の決済金額に該当するマイレージポイントを積立て又は使用処理して結果データを生成するマイレージ提供社サーバー及び上記の各マイレージ提供社サーバーからバッチ処理された顧客のマイレージの積立て又は使用内訳及び現在のマイレージポイントの転送を受け、統合マイレージデータベースに貯蔵して統合管理し、統合マイレージ照会サービスを提供する統合マイレージサービスサーバーを含む。【選択図】図１
2008108252.tif 000002
【特許請求の範囲】
【請求項１】
顧客の商品購買決済の際に多数のメンバーシップカードを一つのカードに統合した統合マイレージカードの番号、決済金額及び加盟店の識別情報を含むマイレージの積み立て又は使用要請データが入力される加盟店ＰＯＳ端末機；
上記の加盟店ＰＯＳ端末機から上記の入力されたマイレージの積み立て又は使用要請データの転送を受け、マイレージデータベースに既貯蔵された顧客マイレージ情報を基に上記の決済金額に該当するマイレージポイントを積み立て又は使用処理して、これに対する結果データを生成するマイレージ提供社サーバー；及び、
上記のマイレージ提供社サーバーが多数の場合、上記の各マイレージ提供社サーバーから一定時間単位にバッチ（Ｂａｔｃｈ）処理された顧客のマイレージの積み立て又は使用内訳及び現在のマイレージポイントそれぞれの転送を受け、統合マイレージデータベースに貯蔵して統合管理し、統合マイレージ照会サービスを提供する統合マイレージサービスサーバーを含むことを特徴とする、統合マイレージサービス提供システム。
【請求項２】
顧客の商品購買決済の際に多数のメンバーシップカードを一つのカードに統合した統合マイレージカードの番号、決済金額及び加盟店の識別情報を含むマイレージの積み立て又は使用要請データが入力される加盟店端末機；
上記の加盟店端末機から上記の入力されたマイレージの積み立て又は使用要請データの転送を受け、マイレージデータベースに既貯蔵された顧客マイレージ情報を基に上記の決済金額に該当するマイレージポイントを積み立て又は使用処理して、これに対する結果データを生成するマイレージ提供社サーバー；及び、
上記のマイレージ提供社サーバーが多数の場合、上記の各マイレージ提供社サーバーから顧客のマイレージの積み立て又は使用内訳及び現在のマイレージポイントそれぞれの転送を受け、統合マイレージデータベースに貯蔵して統合マイレージ情報として統合管理し、一定期間毎に上記の統合マイレージ情報を電子メール（Ｅ−ｍａｉｌ）で上記の顧客端末機に通知する統合マイレージサービスサーバーを含むことを特徴とする、統合マイレージサービス提供システム。
【請求項３】
上記の加盟店端末機はＰＯＳ端末機又はクレジットカード端末機であり、顧客が上記の加盟店端末機から出力される印刷伝票でマイレージの積み立て又は使用結果を確認することを特徴とする、請求項２記載の統合マイレージサービス提供システム。
【請求項４】
上記の統合マイレージカードは提携マイレージ提供社にマイレージサービスを提供する統合マイレージサービス企業により発給され、ＰＯＳ端末機又はクレジットカード端末機で認識が可能であり、所定桁数のカード番号を有するマグネチックカード、ＩＣチップが内蔵されたカード、バーコード（ｂａｒ  ｃｏｄｅ）が記録されたカードのいずれかあることを特徴とする、請求項２記載の統合マイレージサービス提供システム。
【請求項５】
統合マイレージサービス提供システムを利用して会員加入するための統合マイレージサービス提供方法において、
顧客端末機を通じて統合マイレージサービスサーバーに接続して会員加入するとともに、提携マイレージ提供社のうち顧客が加入を願うマイレージ提供社を選ぶ段階；
加入会員に所定桁数のカード番号を有する統合マイレージカードを発給する段階；及び
顧客の同意下に会員情報及び上記の統合マイレージカードの番号を上記の統合マイレージサービスサーバーから顧客が加入を願うマイレージ提供社サーバーに転送する段階を含むことを特徴とする、統合マイレージサービス提供方法。
【請求項６】
上記の統合マイレージサービス提供方法は、
上記の統合マイレージサービスサーバーから提供された会員の統合マイレージカードの番号を上記のマイレージ提供社サーバーがチェックして自社会員かを確認した後、
自社会員であると、自社顧客のメンバーシップカード情報と統合マイレージカードの番号をマッチングさせて顧客データベースに貯蔵し、
自社会員ではないと、新規会員に登録させた後、登録された顧客の個人情報と上記の統合マイレージカードの番号を上記の顧客データベースに貯蔵する段階をさらに含むことを特徴とする、請求項５記載の統合マイレージサービス提供方法。
【請求項７】
統合マイレージサービス提供システムを利用してマイレージの積み立て又は使用のための統合マイレージサービス提供方法において、
加盟店ＰＯＳ端末機に商品購買決済の際に顧客により提示された統合マイレージカードの番号、決済金額及び加盟店の識別情報を含むマイレージの積み立て又は使用要請データが入力される段階；
上記の加盟店ＰＯＳ端末機から入力されたマイレージの積み立て又は使用要請データがマイレージ提供社サーバーにそれぞれ転送されると、上記のマイレージ提供社サーバーは、積み立て又は使用要請した顧客の統合マイレージカードの番号を確認した後、転送された決済金額に該当するマイレージポイントを積み立て又は差し引き、上記のマイレージ提供社サーバーのマイレージデータベースに貯蔵する段階；
上記のマイレージ提供社サーバーにより上記の加盟店ＰＯＳ端末機に積み立て又は使用内訳及び現在のマイレージポイントを転送する段階；
上記のマイレージ提供社サーバーが多数の場合、各マイレージ提供社サーバーのマイレージの積み立て又は使用内訳及び現在のマイレージポイントを統合マイレージサービスサーバーにバッチ（ｂａｔｃｈ）処理して転送する段階；及び
上記の転送された各マイレージ提供社サーバーのマイレージの積み立て又は使用内訳及び現在のマイレージポイントを、上記の統合マイレージサービスサーバーの制御により統合マイレージデータベースに貯蔵して統合管理し、顧客端末機からマイレージの積み立て又は使用照会が要請されると、上記の統合マイレージデータベースに貯蔵された該当照会情報を顧客端末機に提供する段階を含むことを特徴とする、統合マイレージサービス提供方法。
【請求項８】
統合マイレージ提供システムを利用してマイレージ情報を提供するための統合マイレージサービス提供方法において、
加盟店端末機に商品購買決済の際に顧客により提示された統合マイレージカードの番号、決済金額及び加盟店の識別情報を含むマイレージの積み立て又は使用要請データが入力される段階；
上記の加盟店端末機から入力されたマイレージの積み立て又は使用要請データがマイレージ提供社サーバーにそれぞれ転送されると、積み立て又は使用要請した顧客の統合マイレージカードの番号を確認した後、転送された決済金額に該当する積み立て又は使用マイレージポイントを算出し、現在のマイレージポイントに積み立てたり差し引いた結果を上記のマイレージ提供社サーバーのマイレージデータベースに貯蔵する段階；
上記のマイレージ提供社サーバーが多数の場合、各マイレージ提供社サーバーのマイレージの積み立て又は使用情報を上記の統合マイレージサービスサーバーに転送する段階；及び、
上記の転送された各マイレージ提供社サーバーのマイレージの積み立て又は使用情報を統合マイレージデータベースに貯蔵して統合マイレージ情報として統合管理し、一定期間毎に上記の統合マイレージ情報を電子メール（Ｅ−ｍａｉｌ）で上記の顧客端末機に通知する段階を含むことを特徴とする、統合マイレージサービス提供方法。
【請求項９】
上記の統合マイレージサービス提供方法は、
上記の加盟店端末機としてＰＯＳ端末機又はクレジットカード端末機を利用し、顧客が上記の加盟店端末機から出力される印刷伝票でマイレージの積み立て又は使用結果を確認する段階をさらに含むことを特徴とする、請求項８記載の統合マイレージサービス提供方法。
【請求項１０】
上記の統合マイレージサービス提供方法は、
上記の統合マイレージサービスサーバーに顧客の統合マイレージの積み立て又は使用照会の要請がある場合、統合マイレージデータベースに貯蔵された統合マイレージの積み立て又は使用内訳を上記の顧客端末機に提供する段階をさらに含むことを特徴とする、請求項８記載の統合マイレージサービス提供方法。
【請求項１１】
他社のマイレージサービスを利用している顧客の自社のマイレージポイントの交換利用サービスに同意した提携マイレージ提供社それぞれの加盟店の関連情報及び加入者情報を含む統合マイレージデータベースを構築する段階；
提携マイレージ提供社のうち保有しているマイレージポイントを他マイレージ提供社の加盟店で利用するための個人の識別情報を含むサービス加入情報を会員データベースに構築する段階；
会員の加入したマイレージ提供社のうち選択的に設定マイレージポイントを他マイレージ提供社の加盟店で利用できるマイレージポイントに転換が要請できるように設定されたウェブページを会員の顧客端末機に提供する段階；
上記のウェブページを通じた上記会員のマイレージポイントの転換要請により予め設定されたマイレージポイントの換算関係情報を基に上記会員の選んだ既加入のマイレージ提供社の設定マイレージポイントを他マイレージ提供社の加盟店で利用できる統合マイレージポイントに換算処理する段階；及び、
提携マイレージ提供社所属の加盟店端末機から会員識別情報とともにマイレージ決済情報が伝達されると、上記の会員識別情報を基に会員が事前に換算した統合マイレージポイントを差し引き処理する段階を含むことを特徴とする、統合マイレージサービス提供方法。
【請求項１２】
上記のウェブページは、会員が既加入のマイレージ提供社のマイレージポイントを選択的に確認できるように設定された提携マイレージ提供社別のマイレージポイントの照会メニューを含み、
上記照会メニューの選択に対して該当マイレージ提供社からマイレージポイント情報を獲得して上記の顧客端末機に提供する段階をさらに含むことを特徴とする、請求項１１記載の統合マイレージサービス提供方法。
【請求項１３】
上記会員の既加入のマイレージ提供社の設定マイレージポイントを統合マイレージポイントに換算処理する段階は、
上記会員の選んだ既加入のマイレージ提供社の設定マイレージポイントを提携マイレージ提供社で共通に利用できるように予め設定された換算関係により基準ポイントに換算する段階；及び、
上記の基準ポイントを上記の会員識別情報にマッチングさせて登録する段階を含むことを特徴とする、請求項１１記載の統合マイレージサービス提供方法。
【請求項１４】
上記会員の既加入のマイレージ提供社の設定マイレージポイントを統合マイレージポイントに換算処理する段階は、
上記会員の選んだ既加入のマイレージ提供社の設定マイレージポイントを提携マイレージ提供社のうち上記会員の選んだ他マイレージ提供社のマイレージポイントに予め設定された換算関係により換算する段階；及び、
上記会員の選んだ他マイレージ提供社のマイレージポイントを上記会員の選んだ他マイレージ提供社の識別情報とともに上記の会員識別情報にマッチングさせて登録する段階を含むことを特徴とする、請求項１１記載の統合マイレージサービス提供方法。
【請求項１５】
上記会員の他マイレージ提供社の加盟店の利用によるマイレージポイントの差し引き処理結果を上記の統合マイレージデータベースの上記会員が換算要請した既加入のマイレージ提供社及び上記の会員が利用した他マイレージ提供社それぞれの識別情報にマッチングさせて登録する段階をさらに含むことを特徴とする、請求項１３または１４記載の統合マイレージサービス提供方法。
【請求項１６】
上記会員の他マイレージ提供社の加盟店の利用によるマイレージポイントの差し引き処理結果を上記の会員が換算要請した既加入のマイレージ提供社及び上記の会員が利用した他マイレージ提供社それぞれの運営サーバーに通知する段階をさらに含むことを特徴とする、請求項１３または１４記載の統合マイレージサービス提供方法。
【請求項１７】
少なくとも一つの提携マイレージ提供社それぞれの加盟店の識別情報を統合マイレージデータベースに構築する段階；
個人が会員加入の際に入力した個人の識別情報及び統合マイレージの管理サービス申請のために、上記少なくとも一つの提携マイレージ提供社のうちから少なくとも一つを選択的に登録した各マイレージ提供社の加入情報を会員データベースに構築する段階；
任意の加盟店端末機から上記の個人の識別情報及び上記加盟店の識別情報を含む決済情報が伝達されると、上記の個人の識別情報及び上記加盟店の識別情報を基に上記の会員データベース及び上記の統合マイレージデータベースを探索し、会員加入可否及び提携マイレージ提供社の加盟店の可否を判断する段階；及び、
上記の判断する段階で上記の個人の識別情報と上記加盟店の識別情報が存在すると、上記加盟店に属しているマイレージ提供社で上記の決済情報により上記会員のマイレージポイントを積み立てるように、上記の決済情報とともに予め設定された個人の識別情報を該当マイレージ提供社サーバーに転送する段階を含むことを特徴とする、統合マイレージサービス提供方法。
【請求項１８】
上記会員加入の際に入力した個人の識別情報は、個人の住民登録番号、携帯電話番号、任意のクレジットカード番号、及び任意のマイレージカード番号の少なくとも一つであり、
上記少なくとも一つの提携マイレージ提供社サーバーに提供する個人の識別情報は、上記の統合マイレージサービスの申請の際に与えられた該当マイレージ提供社のマイレージカード番号であることを特徴とする、請求項１７記載の統合マイレージサービス提供方法。
【請求項１９】
上記の加盟店端末機から伝達された個人の識別情報は、個人の住民登録番号、携帯電話番号、任意のクレジットカード番号、及び任意のマイレージカード番号の少なくとも一つであり、
上記少なくとも一つの提携マイレージ提供社サーバーに提供する個人の識別情報は、上記の統合マイレージサービスの申請の際に上記会員から提供された該当住民登録番号であることを特徴とする、請求項１７記載の統合マイレージサービス提供方法。
【請求項２０】
顧客のマイレージの積み立て又は使用サービスを代行する関係を提携した少なくとも一つのマイレージサービス代行企業の企業識別情報及びマイレージ政策情報を含む企業の関連情報を統合マイレージデータベースに構築する段階；
上記の提携マイレージサービス代行企業でマイレージの積み立て又は使用サービス提供を受けるための個人の識別情報を含むサービス加入者の情報を会員データベースに構築する段階；
上記のマイレージ代行サービス企業に設置された企業端末機から上記の企業識別情報を含む会員の決済情報とともに上記の個人の識別情報が伝達されると、上記の会員データベースを基に会員可否を判断する段階；  
上記判断する段階で会員として認められると、上記の統合マイレージデータベースを基に該当企業のマイレージ政策により上記の決済情報に対するマイレージポイントを算定する段階；及び、
上記の決済情報により算定されたマイレージポイントを上記の統合マイレージデータベースの上記の企業識別情報及び上記の個人の識別情報に対応して登録又は更新する段階を含むことを特徴とする、統合マイレージサービス提供方法。
【請求項２１】
上記のサービス加入者の情報を会員データベースに構築する段階は、
上記の提携マイレージサービス代行企業でマイレージの積み立て又は使用サービスの提供を受けるために、個人の識別情報を含む個人の関連情報を入力することができるように設定された第１ウェブページを提供する段階；及び、
上記の第１ウェブページを通じて入力された個人の識別情報を上記の会員データベースに登録する段階を含むことを特徴とする、請求項２０記載の統合マイレージサービス提供方法。
【請求項２２】
上記の会員が顧客端末機を通じて企業別のマイレージ情報照会を要請すると、上記の統合マイレージデータベースから企業別のマイレージ情報を探索して会員が登録された企業に該当するマイレージ情報を収集して第２ウェブページを構成する段階；及び、
上記の第２ウェブページを上記のマイレージ情報を要請した会員の顧客端末機に提供する段階をさらに含むことを特徴とする、請求項２１記載の統合マイレージサービス提供方法。
【発明の詳細な説明】
【技術分野】
【０００１】
本発明は、統合マイレージサービス提供システム及び方法に関するものであって、特に提携マイレージ提供社の加盟店で商品購買決済の際に積み立て又は使用できるマイレージポイントを活用するための統合マイレージサービスシステム及び方法に関するものである。
【背景技術】
【０００２】
一般的に、マイレージサービスは顧客の離脱を最小化し、顧客の購買量増大と持続的な再購買を誘導するためのポイントサービス制度であり、顧客データベースの活用による顧客管理の目的としても利用されている。
【０００３】
現在、多数の企業が会員に加入した顧客に対して顧客の購買金額により一定比率のマイレージポイントを提供し、一定レベル以上を累積させた顧客に対して多様に補償してくれる累積補償方式を採択している。
【０００４】
即ち、顧客の立場では実際にマイレージポイントを利用するためには、一定ポイント以上のマイレージを集めなければならないが、これは事実上容易ではないことであって、ほとんど顧客のマイレージポイントが一定ポイントを超えずに、ただなくなっている実情である。
【０００５】
このようなマイレージの形態では、積み立て及び使用先において制限のない統合マイレージと、自体売り場又はチェーンストアのみにて積み立て又は使用の可能な独立マイレージに分類される。
【０００６】
既存の商取引で広く使用されているクレジットカードやデパートカード、プリペードカードのように決済手段として使用される決済カードとともに、上記のようなマイレージを積み立てる積み立てカードは、購買者が加盟店でカードを提示すると取引額のうち一定金額をマイレージポイントとして累積積み立ててくれるものであって、累積金額が一定額の以上到達すると、顧客が願う商品を選択できるようにしたり、まるで現金のように使用できるようにしたものである。
【０００７】
ところが、このような従来の積み立てカードを利用したマイレージ提供方式の場合、消費者の立場では商品及びサービス決済の後、マイレージポイント積み立てのために購買者が各加盟店で別途に発給される数多くのマイレージの積み立てカードを携帯しなければならないという不便さがあった。
【０００８】
このような不便さは、最近の各種クレジットカード及び積み立てカードとともに多様な種類の会員カードが日ごとに増加する近頃にさらに加重されている。
【０００９】
また、消費者がマイレージの積み立て内訳及び現在のマイレージポイントをそれぞれ違うところで確認して管理しなければならないという不便さがあった。
【００１０】
そして、マイレージ提供社の立場で従来のマイレージサービスは、特に独立マイレージサービスの場合、マイレージシステムを独自的に構築して運営するため、マイレージシステムの構築費用、運営人力の人件費、会員募集のための別途のマーケッティング活動及び費用、それぞれのマイレージカード発給による相当な追加的な費用の負担が発生される問題点がある。
【００１１】
また、従来のマイレージサービスにおいて、各マイレージ提供社に個別的に加入した会員に限り、該当マイレージ提供社の加盟店でマイレージの積み立て又は使用サービス恵沢を受けることができるため、顧客の立場では自分が加入した該当マイレージ提供社の加盟店を探して行かなければならないという不便さがあり、仮に加入されていない加盟店で商品又はサービスを購買する場合、相対的に不利益を受ける問題点がある。
【発明の開示】
【発明が解決しようとする課題】
【００１２】
本発明が解決しようとする技術的課題は、顧客が統合マイレージカード一枚で提携マイレージ提供社のマイレージを統合的に積み立て又は使用できるようにすることで、顧客のマイレージ利用の便利性を高め、マイレージカード発給及び管理による費用を減少させることができるようにした、統合マイレージ管理システム及び方法を提供することにある。
【００１３】
本発明が解決しようとする別の技術的課題は、加盟店で商品購買決済の際に統合マイレージカードを使用することにより、様々なマイレージ提供社で提供するマイレージの積み立て／使用金額及び残額情報を統合的に管理する統合マイレージサービスサーバーから周期的に統合マイレージ情報を電子メールでメーリングサービスを受けるようにした、統合マイレージ情報提供システム及び方法を提供することにある。
【００１４】
本発明が解決しようとするまた別の技術的課題は、マイレージサービスを提供する多数のマイレージ提供社と提携関係を通じて顧客が加入した特定のマイレージ提供社の積み立てポイントを提携関係にある他マイレージ提供社の加盟店でも利用できるようにサービスする統合マイレージサービス方法を提供することにある。
【課題を解決するための手段】
【００１５】
上記課題を解決するために、本発明による統合マイレージサービス提供システムは  顧客の商品購買決済の際に多数のメンバーシップカードを一つのカードに統合した統合マイレージカードの番号、決済金額及び加盟店の識別情報を含むマイレージの積み立て又は使用要請データが入力される加盟店ＰＯＳ端末機；
上記の加盟店ＰＯＳ端末機から上記の入力されたマイレージの積み立て又は使用要請データの転送を受け、マイレージデータベースに既貯蔵された顧客マイレージ情報を基に上記の決済金額に該当するマイレージポイントを積み立て又は使用処理して、これに対する結果データを生成するマイレージ提供社サーバー；及び、上記のマイレージ提供社サーバーが多数の場合、上記の各マイレージ提供社サーバーから一定時間単位にバッチ（Ｂａｔｃｈ）処理された顧客のマイレージの積み立て又は使用内訳及び現在のマイレージポイントそれぞれの転送を受け、統合マイレージデータベースに貯蔵して統合管理し、統合マイレージ照会サービスを提供する統合マイレージサービスサーバーを含む。
【００１６】
また、上記課題を解決するために、本発明による統合マイレージサービス提供方法は、顧客端末機を通じて統合マイレージサービスサーバーに接続して会員加入するとともに、提携マイレージ提供社のうち、顧客が加入を願うマイレージ提供社を選ぶ段階と、加入会員に所定桁数のカード番号を有する統合マイレージカードを発給する段階、及び顧客の同意下に、会員情報及び上記の統合マイレージカードの番号を上記の統合マイレージサービスサーバーから顧客が加入を願うマイレージ提供社サーバーに転送する段階を含む。
【００１７】
また、上記課題を解決するために、本発明による統合マイレージサービス提供方法は、  加盟店ＰＯＳ端末機に商品購買決済の際に顧客により提示された統合マイレージカードの番号、決済金額及び加盟店の識別情報を含むマイレージの積み立て又は使用要請データが入力される段階と、上記の加盟店ＰＯＳ端末機から入力されたマイレージの積み立て又は使用要請データがマイレージ提供社サーバーにそれぞれ転送されると、上記のマイレージ提供社サーバーは、積み立て又は使用要請した顧客の統合マイレージカードの番号を確認した後、転送された決済金額に該当するマイレージポイントを積み立て又は差し引き、上記のマイレージ提供社サーバーのデータベースに貯蔵する段階と、上記のマイレージ提供社サーバーにより上記の加盟店ＰＯＳ端末機に積み立て又は使用内訳及び現在のマイレージポイントを転送する段階と、上記のマイレージ提供社サーバーが多数の場合、各マイレージ提供社サーバーのマイレージの積み立て又は使用内訳及び現在のマイレージポイントを統合マイレージサービスサーバーにバッチ（ｂａｔｃｈ）処理して転送する段階、及び上記の転送された各マイレージ提供社サーバーのマイレージの積み立て又は使用内訳及び現在のマイレージポイントを、上記の統合マイレージサービスサーバーの制御により統合マイレージデータベースに貯蔵して統合管理し、顧客端末機からマイレージの積み立て又は使用照会が要請されると、上記の統合マイレージデータベースに貯蔵された該当照会情報を顧客端末機に提供する段階を含む。
【００１８】
上記別の課題を解決するために、本発明による統合マイレージサービス提供システムは、顧客の商品購買決済の際に多数のメンバーシップカードを一つのカードに統合した統合マイレージカードの番号、決済金額及び加盟店の識別情報を含むマイレージの積み立て又は使用要請データが入力される加盟店端末機と、上記の加盟店端末機から上記の入力されたマイレージの積み立て又は使用要請データの転送を受け、マイレージデータベースに既貯蔵された顧客マイレージ情報を基に上記の決済金額に該当するマイレージポイントを積み立て又は使用処理して、これに対する結果データを生成するマイレージ提供社サーバー及び上記のマイレージ提供社サーバーが多数の場合、上記の各マイレージ提供社サーバーから顧客のマイレージの積み立て又は使用内訳及び現在のマイレージポイントそれぞれの転送を受け、統合マイレージデータベースに貯蔵して統合マイレージ情報として統合管理し、一定期間毎に上記の統合マイレージ情報を電子メール（Ｅ−ｍａｉｌ）で上記の顧客端末機に通知する統合マイレージサービスサーバーを含む。
【００１９】
また、上記別の課題を解決するために、本発明による統合マイレージサービス提供方法は、加盟店端末機に商品購買決済の際に顧客により提示された統合マイレージカードの番号、決済金額及び加盟店の識別情報を含むマイレージの積み立て又は使用要請データが入力される段階と、上記の加盟店端末機から入力されたマイレージの積み立て又は使用要請データがマイレージ提供社サーバーにそれぞれ転送されると、積み立て又は使用要請した顧客の統合マイレージカードの番号を確認した後、転送された決済金額に該当する積み立て又は使用マイレージポイントを算出し、現在のマイレージポイントに積み立てたり差し引いた結果を上記のマイレージ提供社サーバーのマイレージデータベースに貯蔵する段階と、上記のマイレージ提供社サーバーが多数の場合、各マイレージ提供社サーバーのマイレージの積み立て又は使用情報を上記の統合マイレージサービスサーバーに転送する段階、及び上記転送された各マイレージ提供社サーバーのマイレージの積み立て又は使用情報を統合マイレージデータベースに貯蔵して統合マイレージ情報として統合管理し、一定期間毎に上記の統合マイレージ情報を電子メール（Ｅ−ｍａｉｌ）で上記の顧客端末機に通知する段階を含む。
【００２０】
上記のまた別の課題を解決するために、本発明による統合マイレージサービス提供方法は、他社のマイレージサービスを利用している顧客の自社のマイレージポイントの交換利用サービスに同意した提携マイレージ提供社それぞれの加盟店の関連情報及び加入者情報を含む統合マイレージデータベースを構築する段階と、提携マイレージ提供社のうち、保有しているマイレージポイントを他マイレージ提供社の加盟店で利用するための個人の識別情報を含むサービス加入情報を会員データベースに構築する段階と、会員が加入したマイレージ提供社のうち選択的に設定マイレージポイントを他マイレージ提供社の加盟店で利用できるマイレージポイントに転換を要請できるように設定されたウェブページを会員の顧客端末機に提供する段階と、上記のウェブページを通じた上記会員のマイレージポイントの転換要請により予め設定されたマイレージポイントの換算関係情報を基に、上記会員の選んだ既加入のマイレージ提供社の設定マイレージポイントを他マイレージ提供社の加盟店で利用できる統合マイレージポイントに換算処理する段階、及び提携マイレージ提供社所属の加盟店端末機から会員識別情報とともにマイレージ決済情報が伝達されると、上記の会員識別情報を基に会員が事前に換算した統合マイレージポイントを差し引き処理する段階を含む。
【発明の効果】
【００２１】
以上で説明したように、本発明による統合マイレージサービス提供システム及び方法は、次のような効果を有する。
【００２２】
第一、顧客の立場ではマイレージ提供毎に違う多数のマイレージカードを携帯する必要なく、一枚の統合マイレージカードで各マイレージ提供社の加盟店でマイレージの積み立て又は使用がすべて可能になり、個別マイレージの積み立て内訳及び残額を一つのところで管理できるようになることで、マイレージに対する管理及び認知が容易であり、毎年数千億ウォンのマイレージが使用できないまま消滅される状況で、マイレージをまた別の財貨として認識してその活用性が増加するものと期待される。
【００２３】
第二、顧客の立場では多数の加盟店で決済したマイレージの積み立て／使用情報を照会するとき、多数のマイレージ提供社のホームページに一々接続してポイント内訳を照会する不便さを解消することができ、どのマイレージがいくらあるか統合的に一つのところで照会して管理できるという便利性を提供することができ、また、毎週／毎月などの一定期間のマイレージの積み立て／使用金額及び現在の残額を電子メールを通じて顧客端末機に通知してもらうことにより、顧客が現在のマイレージ残額情報をいつも便利に確認できる。
【００２４】
第三、マイレージ提供社の立場ではそれぞれのマイレージカード発給による費用を節減することができ、会員募集のための別途のマーケッティング活動及び費用を節減することができるだけでなく、顧客が容易にポイントを積み立てて割引恵沢を受けることにより、ブランド忠誠度の増大と再購買の誘導による売上向上を図ることができる。
【００２５】
第四、マイレージ提供社の立場では顧客が自社のマイレージ情報を随時に照会し、残額を確認できるようにすることで、顧客に自社のマイレージについて続けて認知させることができ、マイレージの積み立て／使用をよくしていない顧客にも興味を誘発することができ、長期的に顧客を確保して売上を増大させることができる。
【００２６】
第五、会員が自分が加入していないマイレージ提供社の加盟店でも、自分の積み立てマイレージポイントを利用することができるため、自分が加入した加盟店をわざわざ探していく不便さを解消することができる。
【発明を実施するための最良の形態】
【００２７】
以下、本発明による統合マイレージサービス提供システムの実施例の構成及び動作と、そのシステムで行われる方法の実施例を添付した図面を参照し、次のように説明する。
【００２８】
図１は本発明による統合マイレージ管理システムの一実施例を示したシステム構成図である。
【００２９】
本発明による統合マイレージサービス提供システムの一実施例は、顧客端末機１０と、顧客の商品購買決済の際に多数のメンバーシップカードを一つのカードに統合した統合マイレージカードの番号、決済金額及び加盟店の識別情報を含むマイレージの積み立て又は使用要請データが入力される加盟店ＰＯＳ端末機１１と、上記の加盟店ＰＯＳ端末機１１から上記の入力されたマイレージの積み立て又は使用要請データの転送を受け、マイレージデータベース１５に既貯蔵された顧客マイレージ情報を基に上記の決済金額に該当するマイレージポイントを積み立て又は使用処理して、これに対する結果データを生成するマイレージ提供社サーバー１２と、上記のマイレージ提供社サーバー１２が多数の場合、上記の各マイレージ提供社サーバー１２から一定時間単位にバッチ（Ｂａｔｃｈ）処理された顧客のマイレージの積み立て又は使用内訳及び現在のマイレージポイントそれぞれの転送を受け、統合マイレージデータベース１８に貯蔵して統合管理し、統合マイレージ照会サービスを提供する統合マイレージサービスサーバー１６を含む。
【００３０】
図２は本発明による統合マイレージサービス提供方法で会員加入方法の一実施例を示すフロー図であり、図３は本発明による統合マイレージサービス提供方法におけるマイレージの積み立て方法の一実施例を示すフロー図であり、図４は本発明による統合マイレージサービス提供方法におけるマイレージ使用方法の一実施例を示すフロー図である。
【００３１】
まず、本発明による統合マイレージサービス提供方法における会員加入方法の一実施例は、次の通りである。
【００３２】
顧客は、ＰＣなどの顧客端末機１０を通じて統合マイレージサービスサーバー１６に接続して会員加入するとともに、統合マイレージサービス企業と提携マイレージ提供社のうち、加入を願うマイレージ提供社を選ぶことになる（Ｓ２００）。
【００３３】
このとき、顧客により選ばれたマイレージ提供社に限って顧客情報が提供される。
【００３４】
顧客の会員加入時に顧客のＩＤ、パスワード、名前、住民登録番号、現住所、電子メールなどの会員情報が顧客端末機１０に入力される。
【００３５】
顧客の会員登録が完了すると、上記の統合マイレージサービス企業は加入会員に所定桁数のカード番号（例えば、１６桁の会員番号）を有する統合マイレージカードを発給する（Ｓ２０１）。
【００３６】
そして、顧客の同意下に上記の統合マイレージサービスサーバー１６は、加入時に会員情報及び統合マイレージカード番号を会員データベース１７及び統合マイレージデータベース１８に貯蔵させた後、顧客が会員加入時に選んだマイレージ提供社サーバー１２に転送させる（Ｓ２０２）。
【００３７】
このとき、上記のマイレージ提供社サーバー１２は、上記の統合マイレージサービスサーバー１８から提供された会員情報及び統合マイレージカード番号を顧客データベース１３及びマイレージデータベース１５にそれぞれ貯蔵する。
【００３８】
これにより、上記のマイレージ提供社サーバー１２は、加盟店ＰＯＳ端末機１１から顧客のマイレージの積み立て又は使用要請データが転送される場合、顧客の統合マイレージカードの番号をチェックして自社会員かの可否を確認する。
【００３９】
上記のマイレージ提供社サーバー１２の確認結果、既加入の自社会員として確認されると、自社顧客のメンバーシップカード情報と統合マイレージカードの番号をマッチングさせて上記の顧客データベース１３に貯蔵し、自社会員ではないと確認されると、新規会員として登録させた後、登録された顧客の個人情報と上記の統合マイレージカードの番号を上記の顧客データベース１３に貯蔵する（Ｓ２０３）。
【００４０】
次に、本発明による統合マイレージサービス提供方法におけるマイレージを積み立てる方法の一実施例は、次の通りである。
【００４１】
まず、商品購買決済の際に顧客により統合マイレージカードが提示され、加盟店ＰＯＳ端末機１１に統合マイレージカード番号、決済金額及び加盟店の識別情報を含むマイレージの積み立て要請データが入力される（Ｓ３００）。
【００４２】
上記の加盟店ＰＯＳ端末機１１から入力されたマイレージの積み立て要請データがマイレージ提供社サーバー１２にそれぞれ転送されると、上記のマイレージ提供社サーバー１２は積み立て要請した顧客の統合マイレージカードの番号を確認した後、転送された決済金額に該当するマイレージポイントを算出し、顧客の現在のマイレージポイントに追加的に積み立て、上記のマイレージ提供社サーバー１２のマイレージデータベース１５に貯蔵する（Ｓ３０１）。
【００４３】
続けて、上記のマイレージ提供社サーバー１２は上記の加盟店ＰＯＳ端末機１１にマイレージの積み立て内訳及び現在のマイレージポイントを転送して顧客に知らせる（Ｓ３０２）。
【００４４】
上記のマイレージ提供社サーバー１２が図１のように多数の場合、各マイレージ提供社サーバー１２はマイレージの積み立て内訳及び現在のマイレージポイントを、上記の統合マイレージサービスサーバー１６に一定時間単位にバッチ（Ｂａｔｃｈ）処理して転送する（Ｓ３０３）。
【００４５】
上記の転送された各マイレージ提供社サーバー１２のマイレージの積み立て内訳及び現在のマイレージポイントを、上記の統合マイレージサービスサーバー１６の制御により統合マイレージデータベース１８に貯蔵して統合管理し、顧客端末機１０からマイレージの積み立て情報の照会が要請されると、上記の統合マイレージデータベース１８に貯蔵された該当照会情報を顧客端末機１０に提供する（Ｓ３０４）。
【００４６】
次に、本発明による統合マイレージサービス提供方法におけるマイレージを使用する方法の一実施例は、次の通りである。
【００４７】
商品購買決済の際に顧客により統合マイレージカードが提示され、加盟店ＰＯＳ端末機１１に統合マイレージカード番号、決済金額及び加盟店の識別情報を含むマイレージの使用要請データが入力される（Ｓ４００）。
【００４８】
上記の加盟店ＰＯＳ端末機１１から入力されたマイレージの使用要請データがマイレージ提供社サーバー１２にそれぞれ転送されると、上記のマイレージ提供社サーバー１２は使用要請した顧客の統合マイレージカードの番号を確認した後、転送された決済金額に該当するマイレージポイントの分だけを顧客の現在のマイレージポイントから差し引き、上記のマイレージ提供社サーバー１２のマイレージデータベー１５に貯蔵する（Ｓ４０１）。
【００４９】
続けて、上記のマイレージ提供社サーバー１２は上記の加盟店ＰＯＳ端末機１１にマイレージの使用内訳及び現在のマイレージポイントを転送して顧客に知らせる（Ｓ４０２）。
【００５０】
上記のマイレージ提供社サーバー１２が図１のように多数の場合、各マイレージ提供社サーバー１２はマイレージの積み立て内訳及び現在のマイレージポイントを上記の統合マイレージサービスサーバー１６に一定時間単位にバッチ（Ｂａｔｃｈ）処理して転送する（Ｓ４０３）。
【００５１】
上記の転送された各マイレージ提供社サーバー１２のマイレージの使用内訳及び現在のマイレージポイントを上記の統合マイレージサービスサーバー１６の制御により統合マイレージデータベース１８に貯蔵して統合管理し、顧客端末機１０からマイレージの使用情報照会が要請されると、上記の統合マイレージデータベース１８に貯蔵された該当照会情報を顧客端末機１０に提供する（Ｓ４０４）。
【００５２】
図５は本発明による統合マイレージサービス提供システムの別の実施例を示す構成図である。
【００５３】
本発明による統合マイレージサービス提供システムの別の実施例は、ＰＣなどの顧客端末機５０と、顧客の商品購買決済の際に多数のメンバーシップカードを一つのカードに統合した統合マイレージカードの番号、決済金額及び加盟店の識別情報を含むマイレージの積み立て使用要請データが入力される加盟店端末機５１と、上記の加盟店端末機５１から上記の入力されたマイレージの積み立て又は使用要請データの転送を受け、上記の積み立て又は使用要請データがマイレージの積み立て又は使用に関する情報か判断して承認処理するＶＡＮサーバー５２と、上記のＶＡＮサーバー５２により承認処理された場合、上記の積み立て又は使用要請データの転送を受け、上記の統合マイレージカードの番号へ顧客の選んだマイレージ提供社別にマイレージサービスを提供するようにハブの役割をする統合マイレージサービスサーバー５３と、上記の統合マイレージサービスサーバー５３を通じて転送されたマイレージの積み立て又は使用要請データによりマイレージデータベース５７に既貯蔵された顧客マイレージ情報を基に上記の決済金額に該当するマイレージポイントを積み立て又は使用処理して、これに対する結果データを生成した後、上記の統合マイレージサービスサーバー５３に転送して上記のＶＡＮ（Ｖａｌｕｅ  Ａｄｄｅｄ  Ｎｅｔｗｏｒｋ）サーバー５２を通じて上記の加盟店端末機５１に転送されるようにするマイレージ提供社サーバー５４を含む。
【００５４】
また、上記の加盟店端末機５１は、ＰＯＳ端末機及びクレジットカード端末機であり、顧客が上記の加盟店端末機から出力される印刷伝票でマイレージの積み立て又は使用結果を確認できる。
【００５５】
そして、上記の統合マイレージカードは提携マイレージ提供社にマイレージサービスを提供する統合マイレージサービス企業により発給され、ＰＯＳ（Ｐｏｉｎｔ  Ｏｆ  Ｓａｌｅｓ）端末機又はクレジットカード端末機等で認識が可能であり、所定桁数のカード番号を有するマグネチックカード、ＩＣチップが内蔵されたカード、バーコード（ｂａｒ  ｃｏｄｅ）が記録されたカードのいずれかであり得る。
【００５６】
図６は本発明による統合マイレージサービス提供方法におけるマイレージの積み立て方法の別の実施例を示すフロー図であり、図７は本発明による統合マイレージサービス提供方法におけるマイレージ使用方法の別の実施例を示すフロー図である。
【００５７】
本発明による統合マイレージサービス提供方法におけるマイレージを積み立てる方法の別の実施例は、次の通りである。
【００５８】
加盟店端末機５１に商品購買決済の際に顧客により提示された統合マイレージカードの番号、決済金額及び加盟店の識別情報を含むマイレージの積み立て要請データが入力される（Ｓ６００）。
【００５９】
上記の加盟店端末機５１にマイレージの積み立て要請データが入力されると、上記の加盟店端末機５１から入力された積み立て要請データが信用取引専用網のネットワークを経てＶＡＮサーバー５２に転送され、上記のＶＡＮサーバー５２で顧客の要請データがマイレージの積み立て情報に関するものであるか判断した後、上記の積み立て要請データをインターネットなどのネットワークを通じて統合マイレージサービスサーバー５３に転送される（Ｓ６０１）。
【００６０】
参考的に、上記ネットワークは加盟店端末機５１とＶＡＮサーバー５２のみを連結する専用ネットワークと、上記のＶＡＮサーバー５２と統合マイレージサービスサーバー５３が連結されるインターネットのようなネットワークを含む総体的な表現であって、単一種類のネットワークのみを含むこともでき、多種類のネットワークを含むこともできる。
【００６１】
続けて、上記の統合マイレージサービスサーバー５３は、積み立て要請した顧客の統合マイレージカード番号を確認した後、上記の積み立て要請データを上記のマイレージ提供社サーバー５４に転送する（Ｓ６０２）。
【００６２】
上記の積み立て要請データが転送されると、上記のマイレージ提供社サーバー５４は積み立て要請データ（統合マイレージカード番号）を上記の顧客データベース５５に貯蔵された顧客の統合マイレージカード番号と対照して自社会員可否を認証する（Ｓ６０３）。
【００６３】
自社会員として認証されると、続けて上記のマイレージ提供社サーバー５４は、上記の加盟店端末機５１から転送された上記の決済金額に該当するマイレージポイントを算出し、顧客の現在のマイレージポイントに追加的に積み立て、上記のマイレージデータベース５７に貯蔵させる（Ｓ６０４）。
【００６４】
次に、上記のマイレージ提供社サーバー５４は、マイレージの積み立て結果を上記の統合マイレージサービスサーバー５３を通じて、ＶＡＮサーバー５２を通じて上記の加盟店端末機５１に転送する（Ｓ６０５）。
【００６５】
上記マイレージの積み立て結果データが上記の加盟店端末機５１に転送されると、加盟店端末機５１として使用されるＰＯＳ端末機又はクレジットカード端末機を通じて顧客が印刷伝票でマイレージの積み立て結果を確認できる。
【００６６】
ここで、上記の統合マイレージサービスサーバー５３は、顧客の積み立て照会要請があると、統合マイレージデータベース５９に貯蔵された統合マイレージの積み立て内訳を、上記の顧客端末機５０に提供できる。
【００６７】
本発明による統合マイレージサービス提供方法におけるマイレージを使用する方法の別の実施例は、次の通りである。
【００６８】
加盟店端末機５１に商品購買決済の際に顧客により提示された統合マイレージカードの番号、決済金額及び加盟店の識別情報を含むマイレージの使用要請データが入力される（Ｓ７００）。
【００６９】
上記の加盟店端末機５１にマイレージの使用要請データが入力されると、上記の加盟店端末機５１から入力された使用要請データが信用取引専用網のネットワークを経てＶＡＮサーバー５２に転送され、上記のＶＡＮサーバー５２で顧客の要請データがマイレージの使用要請情報に関するものであるか判断した後、上記の使用要請データが再びインターネットなどのネットワークを通じて統合マイレージサービスサーバー５３に転送される（Ｓ７０１）。
【００７０】
続けて、上記の統合マイレージサービスサーバー５３は、転送された顧客の統合マイレージカード番号を確認した後、再び上記の使用要請データをマイレージ提供社サーバー５４に転送させる（Ｓ７０２）。
【００７１】
上記のマイレージ提供社サーバー５４は、転送された使用要請データ（統合マイレージカード番号）を上記の顧客データベース５５に貯蔵された顧客の統合マイレージカード番号と対照して自社会員可否を認証する（Ｓ７０３）。
【００７２】
自社会員として認証されると、上記のマイレージ提供社サーバー５４は現在のマイレージポイントを確認し、現在のマイレージポイントから上記の加盟店端末機５１から転送された上記の決済金額に該当するマイレージポイントを差し引き、上記のマイレージデータベース５７に貯蔵する（Ｓ７０４）。
【００７３】
上記のマイレージ提供社サーバー５４は、マイレージの使用結果を上記の統合マイレージサービスサーバー５３を通じて上記のＶＡＮサーバー５２に転送させ、上記のＶＡＮサーバーは再び上記の加盟店端末機５１に転送する（Ｓ７０５）。
【００７４】
上記マイレージの使用結果データが上記の加盟店端末機５１に転送されると、上記の加盟店端末機５１として使用されるＰＯＳ端末機又はクレジットカード端末機を通じて顧客が印刷伝票でマイレージ決済結果を確認する。
【００７５】
ここで、上記の統合マイレージサービスサーバー５３は、顧客の使用照会要請があると、統合マイレージデータベース５９に貯蔵された統合マイレージの使用内訳を、上記の顧客端末機５０に提供できる。
【００７６】
図８は本発明による統合マイレージサービス提供システムのまた別の実施例を示す構成図である。
【００７７】
本発明による統合マイレージサービス提供システムのまた別の実施例は、顧客端末機８０と、顧客の商品購買決済の際に多数のメンバーシップカードを一つのカードに統合した統合マイレージカードの番号、決済金額及び加盟店の識別情報を含むマイレージの積み立て又は使用要請データを受信する加盟店端末機８１と、上記の加盟店端末機８１から上記の受信されたマイレージの積み立て又は使用要請データの転送を受け、マイレージデータベース８５に既貯蔵された顧客マイレージ情報を基に上記の決済金額に該当するマイレージポイントを積み立て又は使用処理して、これに対する結果データを生成するマイレージ提供社サーバー８２と、上記のマイレージ提供社サーバー８２が多数の場合、上記の各マイレージ提供社サーバー８２から顧客のマイレージの積み立て又は使用内訳及び現在のマイレージポイントそれぞれの転送を受け、統合マイレージデータベースデータベース８８に貯蔵して統合マイレージ情報として統合管理し、一定期間毎に上記の統合マイレージ情報を電子メール（Ｅ−ｍａｉｌ）で上記の顧客端末機８０に通知する統合マイレージサービスサーバー８６を含む。
【００７８】
また、上記の統合マイレージ情報は、加盟店業種／企業、マイレージ等級、マイレージの積み立て額／使用額、マイレージ残額、最後利用日が含まれる。
【００７９】
そして、上記の加盟店端末機８１はＰＯＳ端末機及びクレジットカード端末機であり、顧客が上記の加盟店端末機から出力される印刷伝票でマイレージの積み立て又は使用結果を確認できる。
【００８０】
また、上記の統合マイレージカードは提携マイレージ提供社にマイレージサービスを提供する統合マイレージサービス企業により発給され、ＰＯＳ（Ｐｏｉｎｔ  Ｏｆ  Ｓａｌｅｓ）端末機又はクレジットカード端末機等で認識が可能であり、所定桁数のカード番号を有するマグネチックカード、ＩＣチップが内蔵されたカード、バーコード（ｂａｒ  ｃｏｄｅ）が記録されたカードのいずれかであり得る。
【００８１】
図９は本発明による統合マイレージサービス提供方法におけるマイレージ情報提供方法の一実施例を示すフロー図である。
【００８２】
顧客はＰＣなどの顧客端末機８０を通じて統合マイレージサービスを提供する統合マイレージサービスサーバー８６に接続して会員加入するとともに、統合マイレージサービス企業と提携マイレージ提供社のうち、加入を願うマイレージ提供社を選ぶようになる。
【００８３】
顧客が会員加入時に入力した顧客のＩＤ、パスワード、名前、住民登録番号、現住所、電子メールなどの会員情報が顧客端末機８０から伝達されると、統合マイレージサービスサーバー８６は会員データベース８７に伝達された会員情報を登録し、統合マイレージサーバー８６は顧客により選ばれたマイレージ提供社に限り、会員情報とともに会員に発給する統合マイレージカード番号を転送する。そして、顧客の会員加入について上記の統合マイレージサービス企業は、加入会員に所定桁数のカード番号（例えば、１６桁の会員番号）を有する統合マイレージカードを発給する。
【００８４】
一方、統合マイレージサービス企業から会員情報を受信したマイレージ提供社では、住民番号などをキー（ｋｅｙ）値として既加入の会員かを検索し、既加入の顧客に対してはマイレージ提供社で発給したカード番号と統合マイレージカード番号をそれぞれ付与し、個別的にマイレージを積み立てたり統合してマイレージを積み立てることができ、以前に加入経歴のない会員の場合は、新規会員として登録してマイレージが積み立てられるようにする。従って、既加入の顧客は加盟店でポイントを積み立て又は使用するとき、二つのうちどのカードを使用してもポイントが統合的に管理できる。ここで、既加入の顧客を検索するためには、顧客が統合マイレージサービス加入時にマイレージ提供社のカードを既に保有している場合、保有カード番号を入力するようにしてマイレージ提供社に提供して検索できるようにすることができ、または顧客の住民番号を通じて検索できるようにすることもでき、または顧客の名前及び生年月日情報の伝達を通じて既加入の顧客可否を検索するようにすることができる。
【００８５】
上記のように顧客の統合マイレージサービスの会員加入が完了した状態で顧客が加盟店で商品を購買して決済するとき、顧客によりマイレージカードが提示されて加盟店端末機８１に統合マイレージカード情報、決済金額及び加盟店の識別情報を含むマイレージの積み立て要請データが入力される（Ｓ９００）。
【００８６】
参考的に、図８のように上記の顧客端末機８０、加盟店端末機８１、マイレージ提供社サーバー８２及び統合マイレージサービスサーバー８６が連結されるネットワークは、上記の加盟店端末機８１とＶＡＮ網、又はＰＯＳ網が連結する専用ネットワークと、上記の統合マイレージサービスサーバー８６が連結されるインターネットのようなネットワークを含む総体的表現であって、単一種類のネットワークのみを含むこともでき、多種類のネットワークを含むこともできる。
【００８７】
続けて、上記の加盟店端末機８１から入力されたマイレージの積み立て又は使用要請データがマイレージ提供社サーバー８２にそれぞれ転送されると、上記のマイレージ提供社サーバー８２は積み立て要請した顧客の統合マイレージカード番号を確認した後、転送された決済金額を通じて積み立て又は使用金額を算出し、顧客のマイレージ残額に追加的に積み立てたり、マイレージの使用結果及び残額情報を上記のマイレージ提供社サーバー８２のマイレージデータベース８５に貯蔵される（Ｓ９０１）。
【００８８】
このとき、上記のマイレージ提供社サーバー８２は上記の加盟店端末機８１に積み立て結果／積み立て金額を転送して顧客に知らせる。
【００８９】
上記のマイレージ提供社サーバー８２が図８のように多数の場合、各マイレージ提供社サーバー８２のマイレージの積み立て又は使用情報を上記の統合マイレージサービスサーバー８６に転送する（Ｓ９０２）。
【００９０】
上記転送された各マイレージ提供社サーバー８２のマイレージの積み立て又は使用情報を上記の統合マイレージサービスサーバー８６の制御により統合マイレージデータベース８８に貯蔵して統合管理し、毎週又は毎月などの一定期間毎に周期的に統合マイレージ情報を電子メール（Ｅ−ｍａｉｌ）で顧客端末機８０に通知する（Ｓ９０３）。
【００９１】
図１０は本発明による統合マイレージサービス提供システムにおける統合マイレージサーバーの一実施例を示した構成図であって、ウェブサービス処理部１１０、統合マイレージ処理部１２０、会員データベース１３０、マイレージ提供社データベース１４０、統合マイレージデータベース１５０を含む。
【００９２】
ウェブサービス処理部１１０は、マイレージ提供社に個人的に加入した加入者が他マイレージ提供社の加盟店でもマイレージポイントを利用できるように具現されたマイレージポイント企業転換サービスを申請するために会員加入情報を入力できるように設定されたウェブページを提供し、会員のインターネット端末機を通じた要請により会員のマイレージ利用現況情報をウェブページに提供する。また、ウェブサービス処理部１１０は、会員が加入されているマイレージ提供社のマイレージポイントを他マイレージ提供社の加盟店で利用するためにウェブを通じて既加入のマイレージ提供社のマイレージポイントを統合マイレージポイントに転換要請できるように設定されたウェブページを提供し、会員が転換した統合マイレージポイントを統合マイレージデータベース１５０の会員識別情報にマッチングさせて登録する一方、会員が転換を選んだマイレージ提供社の設定マイレージポイントに対してマイレージ提供社データベース１４０の該当マイレージ提供社及び会員にマッチングするマイレージポイントを差し引き処理する。これのために、ウェブサービス処理部は構成されたウェブページを要請インターネット端末機に提供するウェブページ提供部１１２と、個人の統合マイレージサービス申請のための会員加入情報を会員データベースに登録処理する会員加入処理部１１４と、会員のマイレージ関連情報の照会要請に対してマイレージ提供社データベース１４０から該当情報をローディングして、要請されたウェブページを構成するウェブページ構成部１１６及び会員のマイレージポイント転換を処理するマイレージポイント転換処理部１１８を含む。ここで、マイレージポイント転換処理部１１８は、会員の選んだ既加入のマイレージ提供社設定マイレージポイントを提携マイレージ提供社で共通に利用できるように予め設定した換算関係情報により基準ポイントに換算し、基準ポイントを会員識別情報にマッチングさせて登録するようにでき、または会員の選んだ既加入のマイレージ提供社設定マイレージポイントを提携マイレージ提供社のうち、会員により選ばれた他マイレージ提供社のマイレージポイントに予め設定された換算関係情報により換算し、会員の選んだ既加入のマイレージ提供社のマイレージポイントを会員の選んだ他マイレージ提供社の識別情報とともに会員識別情報にマッチングさせて登録するように処理することもできる。従って、統合マイレージポイントは基準ポイント及び統合マイレージ換算を選んだ他マイレージ提供社のマイレージポイントを通称する用語として理解されるべきである。
【００９３】
統合マイレージ処理部１２０は、加盟店端末機から加盟店の識別情報を含む決済情報及び統合マイレージカードの識別情報が伝達されると、伝達された情報を基に会員データベース１３０及び統合マイレージデータベース１４０を探索して提携マイレージ提供社の加盟店可否を判断し、提携マイレージ提供社の加盟店として判定されると、該当加盟店が会員の加入したマイレージ提供社の所属可否を判断して会員が既加入したマイレージ提供社の場合、会員の決済情報により積み立て／使用内容を処理し、該当加盟店が会員により統合マイレージポイントにマイレージポイントの転換サービス申請をしたマイレージ提供社所属ではない場合は、会員の決済情報により既に転換された統合マイレージポイントを差し引き処理する。そして、統合マイレージ処理部１２０は、会員の統合マイレージポイントの決済処理結果を該当加盟店端末機に通知し、該当加盟店の所属したマイレージ提供社サーバー及び会員が転換を要請した既加入のマイレージ提供社サーバーに決済処理結果を通知する。これのために、統合マイレージ処理部１２０は決済情報及び統合マイレージカード情報から会員が加入したマイレージ提供社所属の加盟店可否を判断し、マイレージポイントの処理結果を加盟店に通知する加盟店処理部１２２と、加盟店処理部の判断結果、会員加入のマイレージ提供社所属の加盟店ではない場合、統合マイレージポイントを差し引き処理する統合マイレージポイント処理部１２４、加盟店処理部１２２の判断結果、会員既加入のマイレージ提供社所属の加盟店である場合、決済情報により該当マイレージ提供社それぞれへ積み立て又は差し引き処理するマイレージの積み立て／差し引き処理部１２６、及び会員のマイレージ利用による結果を該当マイレージ提供社に通知する通知処理部１２８を含む。
【００９４】
会員データベース１３０は、個人が個人的に加入した企業に対してウェブを通じてマイレージ統合管理サービス及び個人が加入していないマイレージ提供社でも、マイレージポイントを利用するために、統合マイレージサービスを申請した個人の識別情報を含む個人の関連情報が登録される。ここで、個人身の上情報としては、会員の名前、住所、連絡先、年齢、住民登録番号、携帯電話番号などが含まれ、このうち住民登録番号又は携帯電話番号は会員識別情報として利用できる。また、各マイレージ提供社で通用できる統合マイレージカードが発給された場合は、統合マイレージカード情報がさらに登録される。
【００９５】
マイレージ提供社データベース１４０には、他マイレージ提供社のマイレージポイントと自社のマイレージ提供社のマイレージポイントを相互転換して利用できるように具現された統合マイレージサービスに同意したマイレージ提供社それぞれの加盟店の識別情報を含む加盟店の関連情報及び加入者情報が各マイレージ提供社の識別情報にマッチングして登録される。
【００９６】
統合マイレージデータベース１５０には、会員がウェブを通じて転換した統合マイレージポイント情報及び統合マイレージポイントの転換による関連マイレージ提供社の転換関連情報が会員識別情報にマッチングして登録される。ここで、統合マイレージポイント情報は会員識別情報にマッチングさせて会員データベース１３０に登録することもでき、またはマイレージ提供社データベース１４０に登録することもできる。
【００９７】
図１１は図１０の統合マイレージサーバーにより実施される本発明による統合マイレージサービス提供方法の一実施例を示すフロー図である。
【００９８】
提携マイレージ提供社の加盟店で商品又はサービスを購買した顧客が統合マイレージサービス会員に加入されている場合、顧客は加盟店で商品又はサービスに対して決済するとき、統合マイレージカードを加盟店に提示してマイレージの積み立て又は使用を要請できる。一方、加盟店が顧客の加入したマイレージ提供社所属ではなくても、顧客は事前に転換した統合マイレージポイントを利用するために加盟店で統合マイレージカードを提示し、加盟店にマイレージ決済を要請できる。
【００９９】
このように顧客の要請により加盟店端末機に統合マイレージカードの識別情報及び決済情報が入力され、システムで統合マイレージカード情報及び加盟店の識別情報と  マイレージ決済内容を含む決済情報を受信（Ｓ１１０５）すると、統合マイレージ処理部１２０は加盟店処理部１２２を通じて伝達された加盟店の識別情報をマイレージ提供社データベース１４０で探索して加盟店の提携マイレージ提供社所属可否を判断（Ｓ１１１５）する。そして、該当加盟店が提携マイレージ提供社所属の場合は、会員データベース１３０で統合マイレージカード情報を探索して正当な会員可否を判断（Ｓ１１２５）する。このとき、加盟店が提携マイレージ提供社の所属ではないか、正当な会員ではないものとして判断されると、加盟店処理部１２２は該当加盟店端末機に統合マイレージサービス不可を通知（Ｓ１１４０）する。一方、統合マイレージ処理部１２０は、加盟店が提携マイレージ提供社所属であり、統合マイレージカードの識別情報を通じて正当な会員として認められると、該当加盟店が会員により既加入のマイレージ提供社可否を判断（Ｓ１１４５）する。判断結果、加盟店が会員既加入のマイレージ提供社所属の場合、マイレージの積み立て／差し引き処理部１２６で会員の決済情報によりマイレージ提供社データベース１４０の該当マイレージ提供社の該当加入者にマッチングされて登録されたマイレージポイント情報を積み立て又は差し引き処理（Ｓ１１５０）する。一方、統合マイレージ処理部１２０は判断結果、加盟店が会員の統合マイレージ換算を選んだマイレージ提供社所属ではない場合は、統合マイレージポイント処理部１２４で統合マイレージデータベース１５０の会員識別情報にマッチングして登録された統合マイレージポイントを差し引き処理（Ｓ１１６０）する。このとき、統合マイレージポイントが会員のマイレージ決済要請ポイントより少ないと、統合マイレージ処理部１２０は加盟店処理部１２２を通じてマイレージポイントの不足内容を該当加盟店端末機に通知するようにすることもできる。
【０１００】
上記のようにマイレージポイント処理が完了（Ｓ１１６５）すると、統合マイレージ処理部１２０は該当加盟店で会員が統合マイレージポイントの利用による現況をレシートを通じて認識できるように、該当加盟店端末機に会員のマイレージポイントの処理結果を転送（Ｓ１１７０）する。
【０１０１】
一方、統合マイレージサービスシステムでは、提携マイレージ提供社所属の加盟店でマイレージサービスに加入した顧客の決済情報により積み立て／差し引かれたマイレージ情報を顧客がウェブを通じて確認できるように、ウェブサービスを提供する。このためにシステムは、顧客が顧客端末機を通じてシステムで提供するウェブページに接近して、事前に登録した会員ＩＤ及び秘パスワードを入力し、自分が使用又は積み立てたマイレージ情報に対して照会を要請すると、ウェブサービス処理部１１０でマイレージ提供社データベース１４０の会員が加入したマイレージ提供社にマッチングされた会員のマイレージの積み立て／使用現況及び統合マイレージの使用現況によるマイレージ情報をローディングしてウェブページ構成部１１２を通じてウェブページを構成し、情報を要請した会員のインターネット端末機に転送する。このように構成されたウェブページを会員のインターネット端末機に転送することにより、会員は自分が積み立て／使用したマイレージポイント現況及び統合マイレージポイントの利用現況情報を容易に確認できる。
【０１０２】
図１２は本発明による統合マイレージサービス提供システムにおける統合マイレージサーバーの別の実施例を示す構成図であって、ウェブサービス処理部１２１０、統合マイレージ処理部１２２０、会員データベース１２３０、そして統合マイレージデータベース１２４０を含む。
【０１０３】
ウェブサービス処理部１２１０は、個人が顧客端末機を通じて少なくとも一つ以上の個人の識別情報を入力し、個人的に加入した少なくとも一つ以上のマイレージ提供社の加入情報を入力し、統合マイレージサービスを申請することができるように設定されたウェブページを提供するウェブページ提供部１２１２と、会員加入の際に入力した入力情報及びサービス申請のために入力したマイレージ提供社の加入情報を会員データベースに登録処理する会員加入処理部１２１４を含む。
【０１０４】
統合マイレージ処理部１２２０は、任意の加盟店端末機から個人の識別情報及び加盟店の識別情報を含む決済情報が伝達されると、伝達された個人の識別情報及び加盟店の識別情報を基に、会員データベース１２３０及び統合マイレージデータベース１２４０を探索して会員加入可否及び提携マイレージ提供社の加盟店可否を判断し、会員であるとともに提携マイレージ提供社の加盟店である場合、加盟店に符合するマイレージ提供社で会員の決済金額によるマイレージを積み立てるように、決済情報とともに予め設定された個人の識別情報を該当マイレージ提供社サーバーに提供する。
【０１０５】
会員データベース１２３０は、統合マイレージサービスを申請した会員の個人身の上情報及び提携マイレージ提供社のうちで、会員が個人的に加入したマイレージ提供社の加入情報が登録される。個人身の上情報としては、会員の名前、住所、連絡先、年齢、住民登録番号、携帯電話番号などが含まれ、マイレージ提供社の加入情報としては、クレジットカード番号、マイレージカード番号などが含まれる。
【０１０６】
統合マイレージデータベース１２４０には、提携の少なくとも一つ以上のマイレージ提供社及び各マイレージ提供社に所属された加盟店の識別情報を含む加盟店の関連情報が  登録される。
【０１０７】
図１３は図１２の統合マイレージサーバーにより実施される本発明による統合マイレージサービス提供方法の一実施例を示すフロー図である。
【０１０８】
まず、会員はシステムを通じて提供する統合マイレージの管理サービス恵沢のために、ＰＣなどの顧客端末機に統合マイレージサービスサーバーのウェブページに接近して、個人入力情報及び提携マイレージ提供社のうち、個人が個別的に加入して統合マイレージ管理サービスを願うマイレージ提供社を選ぶ動作を行うことにより、個人の識別情報が会員データベース１２３０に登録されているものとして前提される。
【０１０９】
顧客は統合マイレージサービスに会員加入されていると、加盟店の商品を購買して決済するとき、顧客が加盟店の該当マイレージカードのない場合、個人の識別情報を加盟店に提示してマイレージの積み立てを要請できるようになる。このとき、個人の識別情報としては顧客の住民登録番号又は携帯電話番号になれ、または顧客がシステムに事前に登録した所持しているクレジットカードやマイレージカードが利用できる。このような顧客の要請により加盟店で加盟店端末機を通じて個人の識別情報及び加盟店の識別情報を含む決済情報を転送してシステムでその決済情報を受信（Ｓ１３０５）すると、統合マイレージ処理部１２２０の加盟店処理部１２２２では決済情報に含まれた個人の識別情報に対して会員データベース１２３０を探索して、個人の識別情報の存在可否によりサービス加入会員可否を判断（Ｓ１３１５）する。そして、伝達された個人の識別情報から会員として判断されると、伝達された加盟店の識別情報に対して統合マイレージデータベース１２３０を探索して、同一な加盟店の識別情報の存在可否により提携マイレージ提供社の加盟店可否を判断（Ｓ１３２５）する。このとき、伝達された個人の識別情報から会員として判断され、加盟店が既登録のマイレージ提供社の加盟店として判断されると、統合マイレージ処理部１２２０のマイレージ提供社処理部１２２４は、マイレージ提供社と約束された個人の識別情報を決済情報とともに、該当マイレージ提供社サーバーに転送（Ｓ１３３０）する。仮に、伝達された個人の識別情報又は加盟店の識別情報が、会員データベース１２３０又は統合マイレージデータベース１２４０に存在しない場合は、該当加盟店にマイレージの積み立て不可通知を転送（Ｓ１３４０）する。
【０１１０】
上記のように、個人の識別情報と決済情報がマイレージ提供社サーバーに転送されると、マイレージ提供社サーバーは受信した個人の識別情報を通じて積み立てを要請した顧客のマイレージ情報を確認し、決済情報から決済金額によるマイレージを算出し、顧客のマイレージ残額に追加的に積み立てるようになる。そして、マイレージ提供社サーバーは加盟店端末機に積み立て結果を転送し、加盟店端末機ではレシートなどが発行され、顧客に積み立て結果を知らせることができる。
【０１１１】
図１４は本発明による統合マイレージサービス提供システムにおける統合マイレージサーバーのまた別の実施例を示す構成図であって、ウェブサービス処理部１４１０、統合マイレージ処理部１４２０、会員データベース１４３０、統合マイレージデータベース１４４０を含む。
【０１１２】
ウェブサービス処理部１４１０は、個人が会員端末機を通じて個人の識別情報を含む個人の関連情報を提供するものであって、提携関係にあるオフライン企業に対してマイレージ統合管理サービスの申請ができるように設定された、第１ウェブページ及び会員端末機を通じた会員のマイレージ情報照会要請に対して会員が利用した少なくとも一つ以上のオフライン企業にマッチングするマイレージ情報を含んだ第２ウェブページを要請会員端末機に提供し、マイレージ管理代行サービスを要請したオフライン企業でウェブを通じて企業で発生した取引情報について照会要請すると、企業識別情報を基に該当企業の取引情報が含まれた第３ウェブページを企業会員端末機に提供するウェブページ提供部１４１２と、会員又は企業のサービス申請のための会員加入情報を該当データベースに登録処理する会員処理部１４１４と、会員又は企業の情報照会要請に対してデータベースから該当情報をローディングして要請された情報を通じてウェブページを構成するウェブページ構成部１４１６を含む。
【０１１３】
統合マイレージ処理部１４２０は、企業端末機から企業識別情報を含む決済情報及び会員識別情報が伝達されると、会員識別情報及び企業識別情報を基に会員データベース１４３０及び統合マイレージデータベース１４４０を探索して提携企業及び提携企業の登録会員可否を判断し、提携企業であるとともに会員として判定されると、該当企業のマイレージ政策及び会員の決済情報によりマイレージ情報を算定し、算定されたマイレージ情報を該当企業と会員識別情報にマッチングさせて積み立て又は差し引くように処理する。
【０１１４】
会員データベース１４３０は、提携企業でマイレージサービス提供を受けるために設定されたウェブページを通じて提供した個人身の上情報を含む個人の関連情報が登録されれる。ここで、個人身の上情報としては、会員の名前、住所、連絡先、年齢、住民登録番号、携帯電話番号などが含まれ、このうち住民登録番号又は携帯電話番号は、個人の識別情報として利用できるため、必須的に入力を要求することができる。一方、加入会員に対しては、個人の識別情報として提携企業で提示できる統合マイレージカードを発給することができ、発給された統合マイレージカード情報は会員識別情報にマッチングしてさらに登録できる。また、会員データベース１４３０には、提携企業のウェブ情報の接近を許容するための企業会員のログイン関連情報がさらに登録される。
【０１１５】
統合マイレージデータベース１４４０には、マイレージ代行サービスに対して提携の少なくとも一つ以上の企業に対してそれぞれ識別のために付与したり、企業の関連情報中の識別のために選ばれた企業識別情報及び企業別のマイレージ政策情報を含む企業の関連情報が登録される。また、統合マイレージデータベース１４４０には、企業で発生した会員識別情報及び決済情報を含む取引情報から各企業識別情報にマッチングして会員識別情報及び会員の決済情報がさらに登録される。
【０１１６】
図１５は図１４の統合マイレージサーバーにより実施される本発明による統合マイレージサービス提供方法の一実施例を示すフロー図である。
【０１１７】
マイレージサービス代行企業の会員は、企業で商品又はサービスを購買して決済するとき、会員識別情報を企業に提示してマイレージの積み立て又は使用を要請することができる。このとき、個人の識別情報としては会員の住民登録番号又は携帯電話番号を提示することができ、または会員がシステムに事前に登録した所持しているクレジットカード番号や他社のマイレージカード番号又は企業の会員加入により発給した統合マイレージカードを提示できる。このような会員の要請により企業で企業端末機を通じて会員識別情報及び企業識別情報を含む決済情報を転送してシステムで会員識別情報及び決済情報を含む取引情報を受信（Ｓ１５０５）すると、統合マイレージ処理部１４２０では、伝達された企業識別情報に対して統合マイレージデータベース１４４０を探索して、同一な企業識別情報の存在可否により提携の企業可否を判断（Ｓ１５１５）する。このとき、提携企業の場合は、会員識別情報の存在可否により提携企業の登録会員可否を判断（Ｓ１５２５）する。そして、統合マイレージ処理部１４２０では、会員識別情報が提携企業識別情報にマッチングされて存在する場合は、会員の決済情報をマイレージ算定処理部１４２２に伝達し、マイレージ算定処理部１４２２では会員の決済情報を該当企業のマイレージ政策に適用してマイレージを算定する。例えば、企業のマイレージ政策が訪問回数当りの所定マイレージの積み立ての場合は、決済情報毎に所定のマイレージを算定し、金額当りの所定マイレージの積み立ての場合は、決済金額により所定マイレージを算定する。この後、マイレージ算定処理部１４２２では、会員の決済情報により算定されたマイレージ情報をマイレージの積み立て／使用処理部１４２４に伝達し、マイレージの積み立て／使用処理部１４２４では伝達されたマイレージを統合マイレージデータベース１４４０の該当企業識別情報及び会員識別情報にマッチングして積み立て／差し引き処理（Ｓ１５３０）する。仮に、伝達された企業識別情報が統合マイレージデータベース１４４０に存在しないか、会員識別情報の有効期間が過ぎていたり、不良使用者として登載されている等という理由で会員データベース１４３０に登載された場合、又は存在しない場合は該当企業端末機にマイレージの積み立て不可通知メッセージを転送（Ｓ１５４０）する。
【０１１８】
この後、統合マイレージ処理部１４２０では、会員の決済情報により該当企業の会員識別情報にマッチングさせてマイレージ情報が積み立て又は差し引き処理されると、企業端末機へ積み立て又は使用結果を転送し、企業端末機では積み立て又は差し引きの内訳によるレシートなどが発行され、会員に積み立て又は差し引きの結果を知らせる。
【０１１９】
以上、前述した本発明の好適な実施例は、例示の目的のために開示されたものであり、当業者であれば本願の特許請求範囲に開示された本発明の技術的思想とその技術的範囲内で、多様な別の実施例を改良、変更、代替又は付加することが可能である。
【図面の簡単な説明】
【０１２０】
【図１】本発明による統合マイレージサービス提供システムの一実施例を示す構成図。
【図２】本発明による統合マイレージサービス提供方法における会員加入方法の一実施例を示すフロー図。
【図３】本発明による統合マイレージサービス提供方法におけるマイレージの積み立て方法の一実施例を示すフロー図。
【図４】本発明による統合マイレージサービス提供方法におけるマイレージの使用方法の一実施例を示すフロー図。
【図５】本発明による統合マイレージサービス提供システムの別の実施例を示したシステム構成図。
【図６】本発明による統合マイレージサービス提供方法におけるマイレージの積み立て方法の別の実施例を示したフロー図。
【図７】本発明による統合マイレージサービス提供方法におけるマイレージの使用方法の別の実施例を示したフロー図。
【図８】本発明による統合マイレージサービス提供システムのまた別の実施例を示す構成図。
【図９】本発明による統合マイレージサービス提供方法におけるマイレージの情報提供方法の一実施例を示すフロー図。
【図１０】本発明による統合マイレージサービス提供システムにおける統合マイレージサーバーの一実施例を示す構成図。
【図１１】図１０の統合マイレージサーバーにより実施される本発明による統合マイレージサービス提供方法の一実施例を示すフロー図。
【図１２】本発明による統合マイレージサービス提供システムにおける統合マイレージサーバーの別の実施例を示す構成図。
【図１３】図１２の統合マイレージサーバーにより実施される本発明による統合マイレージサービス提供方法の一実施例を示すフロー図。
【図１４】本発明による統合マイレージサービス提供システムにおける統合マイレージサーバーのまた別の実施例を示す構成図。
【図１５】図１４の統合マイレージサーバーにより実施される本発明による統合マイレージサービス提供方法の一実施例を示すフロー図。
【符号の説明】
【０１２１】
１０：顧客端末機
１１：加盟店ＰＯＳ端末機
１２：マイレージ提供社サーバー
１３：顧客データベース
１４：加盟店データベース
１５：マイレージデータベース
１６：統合マイレージデータベース
１７：会員データベース
１８：統合マイレージデータベース
【図１】
2008108252.tif 000003
【図２】
2008108252.tif 000004
【図３】
2008108252.tif 000005
【図４】
2008108252.tif 000006
【図５】
2008108252.tif 000007
【図６】
2008108252.tif 000008
【図７】
2008108252.tif 000009
【図８】
2008108252.tif 000010
【図９】
2008108252.tif 000011
【図１０】
2008108252.tif 000012
【図１１】
2008108252.tif 000013
【図１２】
2008108252.tif 000014
【図１３】
2008108252.tif 000015
【図１４】
2008108252.tif 000016
【図１５】
2008108252.tif 000017